(57)【要約】【課題】矢を的から外すときにピンとフィルムとを一体で引き抜くことができ、ダブル突入の場合でも後ろの矢のピンが前の矢のフィルムに食い込みにくく、重心が前寄りになる吹矢競技に使用する矢を提供する。【解決手段】丸型ヘッドとそこから後方に延びる円柱部とからなる丸ピン４であって、該円柱部の横断面の直径が前記丸型ヘッドの直径よりも小さい丸ピン４と、円錐形に巻かれたフィルム６であって、先端部に丸ピン４の円柱部すべてが差し込まれ固着されたフィルム６と、からなる矢２であり、フィルム６の先端部に連続して丸ピン４の球形の部分が錘として接続された矢２である。【選択図】  図１
2013061112.tif 000002
【特許請求の範囲】
【請求項１】
吹矢に使用する矢であって、
球形である先端部と該先端部から後方に延びる円柱部とからなるピンであって、該円柱部の横断面の直径が前記球形の直径よりも小さいピンと、
円錐形に巻かれたフィルムであって、先端部に前記ピンの円柱部すべてが差し込まれ固着されたフィルムと、
からなり、前記フィルムの先端部に連続して前記ピンの球形の部分が錘として接続された矢。
【請求項２】
吹矢に使用する矢であって、
長手方向断面が楕円形である先端部と該先端部から後方に延びる円柱部とからなるピンであって、該円柱部の横断面の直径が前記楕円形の先端部の横断面の直径よりも小さいピンと、
円錐形に巻かれたフィルムであって、先端部に前記ピンの円柱部すべてが差し込まれ固着されたフィルムと、
からなり、前記フィルムの先端部に連続して前記ピンの楕円形の部分が錘として接続された矢。
【請求項３】
前記フィルムは円錐形に巻かれたときのフィルムの幅方向端部同士の重なりしろが、フィルム全長の、後端から５分の１の部分で１ｃｍ以内であり、先端に向かって徐々に幅広になって中央部で最も幅広であり、先端にいくにつれて徐々に二重以上に重なっていく形状である請求項１又は２記載の矢。
【請求項４】
矢の重心が矢の全長に対し矢の先端から２６．２％〜２７．０％の地点に存在するように構成された請求項１記載の矢。
【請求項５】
矢の重心が矢の全長に対し矢の先端から２６．５％〜２６．６％の地点に存在するように構成された請求項２記載の矢。
【請求項６】
前記ピンの重量が０．３５３ｇである請求項１記載の矢。
【請求項７】
前記ピンの重量が０．４０６ｇである請求項２記載の矢。
【請求項８】
前記矢の重量が０．７９７ｇ±０．０２ｇである請求項１記載の矢。
【請求項９】
前記フィルムは向かい合う二辺が長辺になっている略長尺状のオリエンテッドポリプロピレンシートからなり、前記長辺のうちの一方が円弧状に湾曲していて更に当該長辺に隣接する角部に円弧状の湾曲部が形成されており、前記長辺のうちの他方が略直線状に形成されている請求項３記載の矢。
【請求項１０】
前記矢は全長が２００ｍｍ±５ｍｍであり、円錐形に巻かれたフィルムの後端の外径が１３．０ｍｍ±０．２ｍｍである請求項１記載の矢。
【請求項１１】
前記矢は全長が２０１ｍｍ±５ｍｍであり、円錐形に巻かれたフィルムの後端の外径が１３．０ｍｍ±０．２ｍｍである請求項２記載の矢。
【発明の詳細な説明】
【技術分野】
【０００１】
本発明は、吹矢に使用する矢に関する。
【背景技術】
【０００２】
近年、矢を吹く際の呼吸が腹式呼吸であり健康によいという理由から、スポーツや娯楽としての吹矢が普及している。
【０００３】
スポーツや娯楽としての吹矢は、フィルムを円錐状に巻いてフィルムの先端に錘としてのピンを差し込んだ矢を用いて行われ、この矢を筒に入れ、筒の後端部から筒内に息を吹き込むことにより、矢を発射させてウレタン製の的に当てる。矢としては、略長方形状のプラスチックフィルムを円錐状に巻いてその先端に錘としての釘を脚の部分から差し込み固着したものが用いられている（例えば、特許文献１参照）。釘としては、一般に真鍮製か鉄製の丸釘が用いられる。この従来の矢は次の３つの課題がある。
【０００４】
まず、上述した従来の矢２４は、図２０に示すように、フィルム２８の先端部に丸釘２６が差し込まれた形状になっている。丸釘２６は、図２１に示すように、頭部２９にカエシが形成されており、頭部２９には後方に向かって尖っている円柱部３０が一体接続されている。このカエシの存在により、次の２つの事象がしばしば生じている。
【０００５】
１．的に刺さった矢を的から外すときに丸釘のピンだけ的に残ってフィルムだけ引き抜かれてしまう。
【０００６】
２．的に刺さっている矢に次に吹いた矢が前の矢のフィルムの円錐形奥深くに突入し（この事象を以降「ダブル突入」と呼ぶ）、丸釘の頭部のカエシが前の矢のフィルムに食い込んでしまう（図２３参照）。この場合、後ろの矢を引き抜いたときにフィルムだけが引っ張られてフィルムが丸釘のピンから抜け、後ろの矢のピンが前の矢のフィルム内に残ってしまう。
【０００７】
上述の１の場合、ピンが抜けた矢は以降、使用できなくなる。上述の２の場合、前の矢のフィルム内にはピンが２本存在する状態になり、後ろの矢にはピンが存在しない状態になるため、前の矢、後ろの矢共に使用できなくなる。
【０００８】
また、丸釘は市販のJIS規格のものを用いているが、市販のものは木材などの固定が主な目的であるので、円柱部３０が頭部２９の中心を必ずしも通っているわけではなかった。
【０００９】
さらに、特許文献１に開示の略長方形状のプラスチックフィルムを円錐状に巻くと、巻いた状態でのフィルム２８後端部のフィルム重なりしろ３６が図２２に示すように大きくなっていた。
【００１０】
３．この構造だと上下方向の重心に偏りがあり、フィルムを転がしたときに同じ箇所で止まる傾向があった。矢が飛行中にもこの重心の偏りは影響しており、ブレの原因になっていた。
【先行技術文献】
【特許文献】
【００１１】
【特許文献１】登録実用新案公報第３０５１４３２号
【発明の概要】
【発明が解決しようとする課題】
【００１２】
本発明は、このような事情に鑑みてなされたもので、１．矢を的から外すときにピンとフィルムとを一体で引き抜くことができ、２．ダブル突入の場合でも後ろの矢のピンが前の矢のフィルムに食い込みにくい、３．円柱部がヘッドの中心を通り飛行中のブレを少なくする、矢を提供することを目的とする。
【課題を解決するための手段】
【００１３】
請求項１に係る発明は、前記目的を達成するために開発された、吹矢に使用する矢である。この矢は、球形である先端部と該先端部から後方に延びる円柱部とからなるピンであって、該円柱部の横断面の直径が前記球形の直径よりも小さいピンと、円錐形に巻かれたフィルムであって、先端部に前記ピンの円柱部すべてが差し込まれ固着されたフィルムと、からなり、前記フィルムの先端部に連続して前記ピンの球形の部分が錘として接続された矢、からなる。
【００１４】
本発明によれば、１．ピンの先端部が球形のため、的に刺さった矢を的から外すときに釘の頭部にかえしがないので、矢が抜きやすくなり、ピンだけが的に残ってフィルムだけ引き抜かれることが極力防止できる。２．的に刺さっている矢に次に吹いた矢が重なって前の矢のフィルム奥深くに食い込んでダブル突入の状態になっても、後ろの矢を引き抜いたときにフィルムだけが引っ張られて後ろのフィルムからピンが抜け、ピンが前の矢のフィルム内に残ることも極力防止できる。３．前記球形の中心部に対する前記円柱部の配置誤差が極めて小さく製造でき、矢全体の重心も前寄りになるので矢の飛行中におけるフィルム後端の上下左右方向のブレが少なくなり、的への命中率が高まる。
【００１５】
請求項２に係る発明は、前記目的を達成するために、吹矢に使用する矢であって、長手方向断面が楕円形である先端部と該先端部から後方に延びる円柱部とからなるピンであって、該円柱部の横断面の直径が前記楕円形の先端部の横断面の直径よりも小さいピンと、円錐形に巻かれたフィルムであって、先端部に前記ピンの円柱部すべてが差し込まれ固着されたフィルムと、からなり、前記フィルムの先端部に連続して前記ピンの楕円形の部分が錘として接続された矢、からなる。
【００１６】
本発明によれば、円錐形の前記フィルムの先端部に前記ピンの縦断面楕円形の部分が錘として接続されている。１．ピンの先端部が縦断面楕円形のため、的に刺さった矢を的から外すときに矢が抜きやすくなり、ピンだけが的に残ってフィルムだけ引き抜かれることが極力防止できる。２．的に刺さっている矢に次に吹いた矢が重なって前の矢のフィルム奥深くに食い込んでダブル突入の状態になっても、後ろの矢を引き抜いたときにフィルムだけが引っ張られて後ろのフィルムからピンが抜け、当該ピンが前の矢のフィルム内に残る事態も極力防止できる。３．前記楕円形の中心部に対する前記円柱部の配置誤差が極めて小さく製造でき、矢全体の重心も前寄りになるので矢の飛行中におけるフィルム後端の上下方向のブレが少なくなり、的への命中率が高まる。
【００１７】
請求項３に係る発明は、前記目的を達成するために、前記フィルムは円錐形に巻かれたときのフィルムの幅方向端部同士の重なりしろが、フィルム全長の、後端から５分の１の部分で１ｃｍ以内であり、先端に向かって徐々に幅広になって中央部で最も幅広であり、先端にいくにつれて徐々に二重以上に重なっていく形状である請求項１又は２記載の矢、からなる。
【００１８】
本発明によれば、フィルムの矢の後ろ側の二重になっている部分の面積を極力少なくできるので、フィルムの軽量化が図れ、かつ矢の重心位置を前方にもってくることができる。また、フィルムの後ろ側でフィルムが二重になっている面積が少なくなるので矢の上下方向の重心の偏りが少なくなり飛行中の上下左右方向のブレが小さくなる。
【００１９】
請求項４に係る発明は、前記目的を達成するために、矢の重心が矢の全長に対し矢の先端から２６．２％〜２７．０％の地点に存在するように構成された請求項１記載の矢、からなる。
【００２０】
本発明によれば、矢の重心位置が従来よりも前方にあるので矢の飛行中の上下左右方向のブレが小さくなり、的への的中率が良くなる。
【００２１】
請求項５に係る発明は、前記目的を達成するために、矢の重心が矢の全長に対し矢の先端から２６．５％〜２６．６％の地点に存在するように構成された請求項２記載の矢、からなる。
【００２２】
本発明によれば、矢の重心位置が従来よりも前方にあるので矢の飛行中の上下左右方向のブレが小さくなり、的への的中率が良くなる。
【００２３】
請求項６に係る発明は、前記目的を達成するために、前記ピンの重量が０．３５３ｇである請求項１記載の矢、からなる。
【００２４】
本発明によれば、ピンの重量が従来の釘タイプよりも重いため、矢の重心位置が従来よりも前方にあるので矢の飛行中の上下左右方向のブレが小さくなり、的への的中率が良くなる。
【００２５】
請求項７に係る発明は、前記目的を達成するために、前記ピンの重量が０．４０６ｇである請求項２記載の矢、からなる。
【００２６】
本発明によれば、ピンの重量が従来の釘タイプよりも重いため、矢の重心位置が従来よりも前方にあるので矢の飛行中の上下左右方向のブレが小さくなり、的への的中率が良くなる。
【００２７】
請求項８に係る発明は、前記目的を達成するために、前記矢の重量が０．７９７ｇ±０．０２ｇである請求項１記載の矢、からなる。
【００２８】
本発明によれば、矢の重量が従来の釘タイプのピンを使用した場合とほとんど変わらないので、飛行性能を保持したまま、前記請求項１の効果を有する矢を得ることができる。
【００２９】
請求項９に係る発明は、前記目的を達成するために、前記フィルムは向かい合う二辺が長辺になっている略長尺状のオリエンテッドポリプロピレンシートからなり、前記長辺のうちの一方が円弧状に湾曲していてさらに当該長辺に連続する角部に円弧状の湾曲部が形成されており、前記長辺のうちの他方が略直線状に形成されている請求項３記載の矢、からなる。
【００３０】
本発明によれば、フィルムを円錐形に巻いたときにフィルムの矢の後ろ側の二重になっている部分の面積を極力少なくできるので、フィルムの軽量化が図れ、かつ矢の重心位置を前方にもってくることができる。また、フィルムの後ろ側でフィルムが二重になっている面積が少なくなるので矢の上下方向の重心の偏りが少なくなり飛行中の上下左右方向のブレが小さくなる。
【００３１】
請求項１０に係る発明は、前記目的を達成するために、前記矢は全長が２００ｍｍ±５ｍｍであり、円錐形に巻かれたフィルムの後端の外径が１３．０ｍｍ±０．２ｍｍである請求項１記載の矢、からなる。
【００３２】
本発明によれば、請求項１に記載の特徴を備えつつ、従来の矢の規格と同様のサイズを得ることができる。
【００３３】
請求項１１に係る発明は、前記目的を達成するために、前記矢は全長が２０１ｍｍ±５ｍｍであり、円錐形に巻かれたフィルムの後端の外径が１３．０ｍｍ±０．２ｍｍである請求項２記載の矢からなる。
【００３４】
本発明によれば、請求項２に記載の特徴を備えつつ、従来の矢の規格と同様のサイズを得ることができる。
【発明の効果】
【００３５】
本発明によれば、矢を的から外すときにピンとフィルムとを一体で引き抜くことができ、ダブル突入の場合でも後ろの矢のピンが前の矢のフィルムに食い込みにくい矢を得ることができる。また、前記球形や前記楕円形の中心部に対する前記円柱部の配置誤差が極めて小さく製造できる。さらに、本発明によれば、上下方向の重心を均等にすると共に長手方向の重心を前寄りに寄せた、飛行中のブレの少ない的中率の高い矢を得ることができる。
【図面の簡単な説明】
【００３６】
【図１】本発明の矢の縦断面図
【図２】丸ピンの側面図
【図３】楕円ピンの側面図
【図４】フィルムの展開図
【図５】フィルムと治具を示した図
【図６】３段・男性が立ち姿勢の腹式呼吸で従来型の矢と丸ピンを装着した本発明の矢とを飛ばした実施結果の比較を示した表
【図７】３段・男性がマイクスタンドの腹式呼吸で従来型の矢と丸ピンを装着した本発明の矢とを飛ばした実施結果の比較を示した表
【図８】初段・男性が立ち姿勢の腹式呼吸で従来型の矢と丸ピンを装着した本発明の矢とを飛ばした実施結果の比較を示した表
【図９】初段・男性がマイクスタンドの腹式呼吸で従来型の矢と丸ピンを装着した本発明の矢とを飛ばした実施結果の比較を示した表
【図１０】図６〜図９の実施結果について的への左右の分布状況を示した表
【図１１】図６の実施結果について的への左右の分布状況を棒グラフで示した図
【図１２】図７の実施結果について的への左右の分布状況を棒グラフで示した図
【図１３】図８の実施結果について的への左右の分布状況を棒グラフで示した図
【図１４】図９の実施結果について的への左右の分布状況を棒グラフで示した図
【図１５】図１０の実施結果について的への左右の分布状況を中心からの直径の大きさ内への命中度（％）で示した表
【図１６】従来型の矢の重心比率を示した表
【図１７】楕円ピンを従来のフィルムに装着した矢の重心比率を示した表
【図１８】丸ピンを本発明のフィルムに装着した矢の重心比率を示した表
【図１９】６段・男性が立ち姿勢の腹式呼吸で従来型の矢と楕円ピンを装着した本発明の矢とを飛ばした実施結果の比較を示した表
【図２０】従来の矢の縦断面図
【図２１】丸釘の側面図
【図２２】従来のフィルムを円錐状に巻いたときの後端部を矢の軸方向から見た図
【図２３】従来の矢のダブル突入を示す縦断面図
【発明を実施するための形態】
【００３７】
以下、添付図面に従って本発明の好ましい実施形態について詳説する。
【００３８】
図１は、本実施の形態の矢の構成を示す縦断面図である。
【００３９】
同図に示すように、矢２は丸ピン４と円錐形に巻かれたフィルム６とからなる。
【００４０】
丸ピン４は、図２に示すように、球形である丸型ヘッド８と該丸型ヘッド８と連続していて該丸型ヘッド８から後方に延びる円柱部１０とからなる。丸ピン４は鉄製で表面にメッキが施されている。該円柱部１０の横断面の直径は前記丸型ヘッド８の直径よりも小さい。円柱部１０の、丸型ヘッド８の横断面中心に対する配置誤差は、一体成型のため１／１００ｍｍ以下に抑えることができる。
【００４１】
フィルム６は、図４に示すように、向かい合う二辺が長辺になっている略長尺状のオリエンテッドポリプロピレンシートからなる。前記長辺のうちの一方がゆるやかな円弧状に内側に湾曲している円弧部１８となっている。円弧部１８に隣接する角部には円弧部１８よりもカーブが急な円弧状の湾曲部２０が形成されている。円弧部１８と向かい合う長辺は、略直線状に形成されている直線部２２となっている。直線部２２の両端の角部は、角が切断された形状になっている。また、円弧部１８の、湾曲部２０と逆の隣接部も角が切断された形状になっている。手元辺３２は曲線、並びに先端辺３４は直線状になっている。
【００４２】
次に、矢２を作成する方法を説明する。
【００４３】
図５は、フィルムとフィルムを巻く際に用いる治具を示した図である。フィルム６は治具を用いて円錐形に巻いていく。まず、手元辺３２を治具に巻く。次に、巻いた部分を押えて治具をフィルム６を巻いていく方向に回転させていく。巻いた状態の最先端部は湾曲部２０が円周を形成した状態になる。
【００４４】
フィルム６を円錐形に巻き終えたら、丸ピン４の円柱部１０をフィルム６の先端にすべて差し込んで丸型ヘッド８がフィルム６の先端部と隣接するようにする。この際、フィルム６の先端から接着剤を吸い込ませて円柱部１０をフィルム６の先端部内部に固着させる。この結果、丸ピン４をフィルム６に固着させることができる。
【００４５】
フィルム６は円錐形に巻かれたときの円弧部１８と直線部２２との重なりしろは、フィルム６全長の、後端から５分の１の部分で１ｃｍ以内であるが、先端に向かって徐々に幅広になって長手方向中央部で最も幅広であり、先端にいくにつれて徐々に何重にも重なっていく状態になっている。
【００４６】
ここで、矢の明細データについて述べる。従来の矢の明細及び本実施形態の矢の明細は次の通りである。従来の矢は、上述の丸釘と略長方形フィルムとを組み合わせたものである。
【００４７】
＜従来の矢の明細＞下記±の値は手作業製造による製造誤差範囲である。
【００４８】
全長・・・２００ｍｍ±５ｍｍ
手元側外径・・・１３．０ｍｍ±０．２ｍｍ
重量・・・０．７２ｇ±０．０２ｇ
丸釘の重量・・・０．２５０ｇ
重心の位置・・・先端から６３ｍｍ±２ｍｍ
＜本実施形態の矢の明細＞下記±の値は手作業製造による製造誤差範囲である。
【００４９】
全長・・・２００ｍｍ±５ｍｍ
手元側外径・・・１３．０ｍｍ±０．２ｍｍ
重量・・・０．８０ｇ±０．０２ｇ
丸ピンの重量・・・０．３５３ｇ
重心の位置・・・先端から５３ｍｍ±２ｍｍ
従来の略長方形状のフィルム２８を円錐形に巻いた状態では、図２２に示すように後端部の重なりしろが大きかったが、上述のフィルム形状を採用することによって、上述のように重なりしろを小さくすることができたので、フィルムの上下方向の重心を均等にすることができて飛行中のブレが小さくなり、軽量化も図ることができた。
【００５０】
ピンは本実施形態の丸ピン４を採用することによって従来の丸釘２６よりも０．１ｇ重くなったが、フィルムの軽量化を図ることができたので、矢全体としては０．０８ｇ重くなったのみである。
【００５１】
また、本実施形態では、ピンを従来の丸釘から先端球形に変更することによって矢の長手方向の重心位置を矢の先端方向に寄せることができた。これによって、飛行中のブレがさらに小さくなり、的への的中率が向上した。
【００５２】
ここで、従来の矢の重心比率及び本実施形態の矢の重心比率をそれぞれ実際に製造した矢５本をサンプル抽出して調べた結果を検討する。図１６は従来型の矢２４を５本抽出して重心比率を調べた結果を示した表、図１８は本実施形態の矢２を５本抽出して重心比率を調べた結果を示した表、である。
【００５３】
これらの表において「重心」は、重心が矢の先端から何ｃｍの位置にあるかを示している。「比率」は、重心位置が矢先端から矢全長の何％の位置にあるかを示している。
【００５４】
従来例、本実施形態共に５本のなかで若干の個体差はあるものの、重心比率は本実施形態の矢２が従来の矢２４よりも平均で５．０％先端方向に位置した状態になっている。
【００５５】
次に、従来の矢、本実施形態の矢をそれぞれ実際に吹いて飛ばした結果を検討する。点数は的の中央から直径６ｃｍを７点、１２ｃｍを５点、１８ｃｍを３点、２４ｃｍを１点とし、１ラウンド５本で３５点満点とする。図６〜１０の平均得点は３５点を満点とした場合である。
【００５６】
図６は３段・男性が立ち姿勢の腹式呼吸で従来型の矢と新型の矢（即ち、本実施形態の矢）とを１００本飛ばした実施結果の比較を示した表、図７は３段・男性がマイクスタンドの腹式呼吸で従来型の矢と新型の矢（即ち、本実施形態の矢）とを１００本飛ばした実施結果の比較を示した表、図８は初段・男性が立ち姿勢の腹式呼吸で従来型の矢と新型の矢（即ち、本実施形態の矢）とを１００本飛ばした実施結果の比較を示した表、図９は初段・男性がマイクスタンドの腹式呼吸で従来型の矢と新型の矢（即ち、本実施形態の矢）とを１００本飛ばした実施結果の比較を示した表、である。なお、同一の人物は、同一の筒を使用して実施した。
【００５７】
競技では、初心者が５級であり、上達するにつれて級が上がり、最上級が１級である。１級の上が初段になり、上達するにつれて段が上がり、現時点における最上段は６段である。即ち、５級、４級、３級、２級、１級、初段、２段、３段、４段、５段、６段の順に上手になる。的には１ｃｍ角に線を引き、どの位置に当たったかを得点、分散、標準偏差の３つの観点で測定した。また、マイクスタンドを用いた場合を測定したのは、従来型、新型で狙いが変わるのか、それによって的中箇所も変わるのかを実験するためである。
【００５８】
図６からわかるように、新型の矢を用いたときの方が平均得点が０．５点高く、分散値が低く、標準偏差も小さかった。つまり、１００本飛ばした場合に新型の矢の方は平均得点で若干の向上が見られたが、分散値・標準偏差から的の中央へより集まる率が高かったことがわかる。
【００５９】
図７において、マイクスタンドを用いた場合でも新型の矢を用いたときの方が平均得点が０．５点高く、分散値が低く、標準偏差も小さかった。つまり、マイクスタンドで固定した場合でも１００本飛ばした場合に新型の矢の方は平均得点で若干の向上が見られ、分散値・標準偏差から的の中央へより集まる率が高かったことがわかる。
【００６０】
図８からわかるように、初段・男性では的までの距離が８ｍであるが、新型の矢を用いたときの方が平均得点が２．８点も高く、分散値が低く、標準偏差も小さかった。つまり、１００本飛ばした場合に初心者に近い人だと新型の矢を用いた場合の方が的の中央への集まる率が大幅に向上した。
【００６１】
図９において、初段・男性では的までの距離が８ｍであるが、マイクスタンドを用いた場合でも新型の矢を用いたときの方が平均得点が１．３点高く、分散値が低く、標準偏差も小さかった。つまり、マイクスタンドで固定した場合でも１００本飛ばした場合に初心者に近い人だと新型の矢を用いた場合の的の中央への集まる率が大幅に向上した。
【００６２】
図６〜図９の実験において、ダブル突入が各々何度も（３０回位）発生したが、フィルムからピンが抜けることは一度もなかった。また、的から矢を抜くときもフィルムからピンが外れることはなかった。
【００６３】
図１０は、図６〜図９の実施結果について的への左右の分布状況を示した表、図１１〜図１４は、図６、図７、図８、図９のそれぞれの実施結果について的への左右の分布状況を棒グラフで示した図である。図１５は、図１０の実施結果について的への左右の分布状況を中心からの直径の大きさ内への命中度（％）で示した表である。表中、的の中央からの左右合わせた距離、すなわち１ｃｍ、３ｃｍ、５ｃｍ、７ｃｍ、９ｃｍ、１１ｃｍ、１３ｃｍ、１５ｃｍ、１７ｃｍ以内にどの程度矢が集中しているかを表に示した。すべての条件において従来型に比べて新型はより中央に集まった。また、新型は直径５ｃｍ以内に９０％以上の確率で命中した。なお、上下方向の散らばりは狙いの高さや腹式呼吸の強さによる影響が大きく、速度に依存するといえる。
【００６４】
本実施の形態の変形例を説明する。
【００６５】
上述の実施形態では、矢２のピンに丸ピン４を用いたが、丸ピン４の代わりに楕円ピン１２を用いることもできる。図３は、楕円ピン１２の側面図である。
【００６６】
楕円ピン１２は、図３に示すように、長手方向断面楕円形であって横断面が円形である楕円型ヘッド１４と該楕円型ヘッド１４と連続していて該楕円型ヘッド１４から後方に延びる円柱部１０とからなる。楕円ピン１２も鉄製で表面にメッキが施されている。該円柱部１０の横断面の直径は前記楕円型ヘッド１４の横断面の直径よりも小さい。楕円ピン１２の全長は２１ｍｍで、フィルムを含めると平均で２０１ｍｍである。円柱部１０の、楕円型ヘッド１４の横断面中心に対する配置誤差は、一体成型のため１／１００ｍｍ以下に抑えることができる。
【００６７】
この変形例の矢の明細は次の通りである。
【００６８】
＜変形例の矢の明細＞下記±の値は手作業製造による製造誤差範囲である。
【００６９】
全長・・・２０１ｍｍ±５ｍｍ
手元側外径・・・１３．０ｍｍ±０．２ｍｍ
重量・・・０．８９ｇ±０．０２ｇ
楕円ピンの重量・・・０．４０６ｇ
重心の位置・・・先端から５２．８ｍｍ±２ｍｍ
ここで、本変形例の矢の重心比率をそれぞれ実際に製造した矢５本をサンプル抽出して調べた結果を検討する。図１７は本変形例の矢１６を５本抽出して重心比率を調べた結果を示した表である。この例ではフィルムは従来のものを用いた。
【００７０】
これらの表において「重心」は、重心が矢の先端から何ｃｍの位置にあるかを示している。「比率」は、重心位置が矢先端から矢全長の何％の位置にあるかを示している。５本のなかで若干の個体差はあるものの、重心比率は本変形例の矢１６が従来の矢２４よりも平均で５．１％先端方向に位置した状態になっている。重量は平均で従来型の矢２４よりも０．１７４ｇ増加した。
【００７１】
この変形例の矢１６を用いて実際に矢を飛ばした。図１９は、６段・男性が立ち姿勢の腹式呼吸で従来型の矢と楕円ピンを装着した本変形例の矢とを飛ばした実施結果の比較を示した表である。実施は、各４９９回のプレイのなかで１０ｍの距離で７点（的の中心の直径は６ｃｍ）に何本当たったかを測定することによって行った。
【００７２】
結果は、７点的中率が格段に上がった。これによって、ピンを丸釘から楕円ピンに変更するだけでも的中率はかなり良くなることがわかる。
【符号の説明】
【００７３】
２…矢、４…丸ピン、６…フィルム、８…丸型ヘッド、１０…円柱部、１２…楕円ピン、１４…楕円型ヘッド、１６…矢、１８…円弧部、２０…湾曲部、２２…直線部
【図１】
2013061112.tif 000003
【図２】
2013061112.tif 000004
【図３】
2013061112.tif 000005
【図４】
2013061112.tif 000006
【図５】
2013061112.tif 000007
【図６】
2013061112.tif 000008
【図７】
2013061112.tif 000009
【図８】
2013061112.tif 000010
【図９】
2013061112.tif 000011
【図１０】
2013061112.tif 000012
【図１１】
2013061112.tif 000013
【図１２】
2013061112.tif 000014
【図１３】
2013061112.tif 000015
【図１４】
2013061112.tif 000016
【図１５】
2013061112.tif 000017
【図１６】
2013061112.tif 000018
【図１７】
2013061112.tif 000019
【図１８】
2013061112.tif 000020
【図１９】
2013061112.tif 000021
【図２０】
2013061112.tif 000022
【図２１】
2013061112.tif 000023
【図２２】
2013061112.tif 000024
【図２３】
2013061112.tif 000025